(57)【要約】【課題】通常時における防犯上の安全性の確保と門扉の外観の意匠性の維持が前提とされる中で、緊急避難時等で鍵を携帯しない場合においても、門扉の外側から門扉の内側の施錠を容易に解錠できるとともに、かつ構造も簡単で安価な門扉の提供。【解決手段】錠２０を備えた門扉において、門扉３のパネルの一部は破壊可能な低強度パネル１５で構成され、上記低強度パネル１５の破壊によって形成された開口部ａの外側から腕を通して上記錠２０を解錠可能とした。なお、低強度パネル１５は、破壊による開口部ａから腕を通したときに上記錠２０を開錠可能な位置に設けられたものである。【選択図】図１
2007270533.tif 000002
【特許請求の範囲】
【請求項１】
錠を備えた門扉において、門扉のパネルの一部を破壊可能な低強度パネルで構成し、上記低強度パネルを、破壊による開口部の外側から腕を通したときに上記錠を開錠可能な位置に設けた
ことを特徴とする門扉。
【請求項２】
前記低強度パネルは、非透光性パネルであることを特徴とする請求項１に記載の門扉。
【発明の詳細な説明】
【技術分野】
【０００１】
本発明は、外部で発生した非常事態を避けるため、あるいは火災等の緊急時にやむを得ず敷地内や建物内に入るためなどの場合に容易に開放できるようにした門扉に関する。
【背景技術】
【０００２】
錠を備えた門扉は、防犯上の見地から、その施錠状態の錠は鍵なくしては外部からは解錠できないようになっている。鍵を所持しない状態において門扉を開けて敷地内や建物内に入る場合には、内部から施錠の解錠をしてもらわなければならない。このため、例えば緊急避難時に避難者が敷地内や建物内へ避難することや、火災時の消防活動等に被災者を速やかに救出することができず、避難者や被災者の安全が十分に確保できないという事態が発生するおそれがある。
【０００３】
上記のような緊急時には、これまでは門扉本体を足で蹴る、身近にある石や金属等により錠を破壊して敷地内に入っていた。
【０００４】
また、緊急避難時の公園や広場への避難を可能とするための対策の一つとして、公園や広場の出入り口の門扉の施錠を、錠カバーの蓋を破壊することで外部から操作して解錠できるようにした門扉用錠装置が知られている。この門扉用錠装置は、公園や広場等の公の場所への緊急避難に対処する公園や広場への入り口門扉の緊急避難時の開放をその目的とするものであり、錠カバーの蓋の緊急時における破壊による施錠の解錠が周知される必要性があることから、錠カバーの蓋は外見上目立つように構成されている。
【特許文献１】特開平９−２６４０８１号公報
【発明の開示】
【発明が解決しようとする課題】
【０００５】
しかしながら、外見上目立つ存在の錠カバーの蓋の存在はいたずら等による蓋の破壊と解錠を誘発するものであり、また、このような外見上目立つ錠カバーの存在は外観性や意匠性が重視される一般の建物における門扉としては好適なものでなく、さらに、この錠装置は非常警報発生機能を装備しており、このような機能の装備は、このための人件費や設備費を増大させコストの上昇を招いている。
【０００６】
また、上述のような緊急時に敷地内や建物内に進入する場合、門扉本体を足で蹴る等の大きな物理的外力により錠を破壊する方法では、破壊に相当の力を必要とし、破壊された錠の修復コストが高く、取り付けが困難であるという問題だけでなく、門扉の錠取付け部分も破壊されてしまうので、門扉全体を交換しなければならず、さらに高コストとなる可能性がある。
【０００７】
本発明は上述の問題点の解消が図られた門扉の提供をその課題とするものであり、通常時における防犯上の安全性の確保と門扉の外観の意匠性の維持が前提とされる中で、緊急進入時等において門扉の外側から門扉の内側の施錠を容易に解錠できるとともに、かつ構造も簡単で安価な門扉を提供することにある。
【課題を解決するための手段】
【０００８】
前記課題を解決するため、請求項１に係る発明は、錠を備えた門扉において、門扉のパネルの一部を破壊可能な低強度パネルで構成し、上記低強度パネルを、破壊による開口部の外側から腕を通したときに上記錠を開錠可能な位置に設けたことを特徴とする。
【０００９】
請求項２に係る発明は、前記低強度パネルは、非透光性パネルであることを特徴とする。
【発明の効果】
【００１０】
請求項１に係る発明によれば、錠を備えた門扉において、門扉のパネルの一部が破壊可能な低強度パネルで形成され、この低強度パネルは破壊による開口部を通して門扉の外側から腕を通したときに、解錠可能な位置に設けられているため、例えば緊急時に避難者や消防隊員等は、従来のように門扉を蹴る等により錠自体を破壊しなくても、低強度パネルを破壊して解錠できるので、容易に門扉を開放することができ、敷地内や建物の内部に速やかに安全に進入することができる。また、低強度パネルは門扉のパネルの一部として形成されているから、破壊された後も破壊されたパネルのみを交換して門扉のパネルを修復して使用することができ、補修による追加コストを最小限に抑えることができる。
【００１１】
さらに、低強度パネルは門扉のパネル構成部そのものであるから、通常時においては門扉の外観が損なわれないので高い意匠性を保持でき、しかも低強度パネルは目立つものではないから、いたずら等による破壊はほとんどない。
【００１２】
請求項２に係る発明は、前記請求項１に記載の発明において、前記低強度パネルは、非透光性パネルのため防犯性を確保することができる。
【発明を実施するための最良の形態】
【００１３】
図１は門の正面図を示す。この門は２本の門柱１、２と門扉３とから構成されている。
【００１４】
つまり、門柱１、２は共にアルミニウム製の断面略四角形もしくは略矩形の中空部材からなり、下部は基礎コンクリート４に打ち込み固定され、一方の門柱１にヒンジ金具５を介して回動可能に支持されることで、両門柱１、２間で片開き作動するように構成されている。
【００１５】
図３〜図５等に示されるように、門扉３もアルミニウム製押出型材からなり、左右の縦桟７、８と、上下部の横桟１０、１１と、上下方向の略中央部の縦桟７、８、間に掛け渡された互いに所定間隔を存して平行に延びる２本の中桟１２、１３とからなる枠体と、この枠体の内側に嵌め込まれたガラリパネル１４および中央パネル１５とから構成されている。なお、６は補強用の芯材である。
【００１６】
図４、図５等に示されるように、縦桟７、８は断面矩形の中空部材であり、両縦桟７、８の内側と外側には断面コの字型の溝部１６が一体に形成されている。
【００１７】
左右両縦桟７、８の互いに対向する溝部１６は、それぞれ上下の横桟１０、１１と中桟１２、１３とガラリパネル１４および中央パネル１５の取付けに供され、また、一方の縦桟７の外側には、戸当り板１８が取付けられ、他方の縦桟８の外側の上下部にはそれぞれヒンジ金具５が取付けられている。
【００１８】
そして、上記一方の縦桟７の略中央部には施錠のためのシリンダ錠２０と門扉開閉のためのハンドル２１が取付けられ、また、縦桟７の下部には落し棒２２が取付けられている（図１参照）。
【００１９】
上下の横桟１０、１１と中桟１２、１３は断面矩形の中空部材であり、左右両縦桟７、８の溝部、の上下部にはそれぞれ上下の横桟１０、１１、の左右両端が嵌合固定されており、これにより、左右縦桟７、８、は横桟１０、１１、を介して互いに枠組みされている。
【００２０】
また、上記対向溝部１６の中央部には、中桟１２、１３の左右両端がそれぞれ嵌合固定され、これにより左右縦桟７、８の中央部は互いに平行な中桟１２、１３を介して互いに結合されている。
【００２１】
上部横桟１０、１１と上部中桟１２、１３間に形成された開口枠および下部横桟１０、１１と下部中桟１２、１３間に形成された開口枠にはガラリパネル１４が嵌め込まれ、また、上下部の中桟１２、１３間に形成された開口枠には中央パネル１５が嵌め込まれている。
【００２２】
上下のガラリパネル１４は、図３および図６に示されるように、それぞれ、アタッチメント１７を介して上下部に画成された開口枠の縦桟７、８の溝部１６の内側に嵌め込み保持されている。ガラリパネル１４は通気性を確保するための構造になっている。
【００２３】
次に、中桟１２、１３間に形成された開口枠に嵌め込まれる中央パネル１５は平板状の非透光性パネルであり、アクリル板等のプラスチック材料等からなり、所定の強度を有するが、成人の手や腕の力でもって破壊できる程度の低強度パネルによって構成されている。例えば、アクリル板使用の場合、厚さ１〜３mm程度の比較的薄い板が使用される。したがって、破壊することによって開口部ａ（図１参照）を形成することができるようになっている。なお、パネルの材質についてもプラスチックに限られるものではなく、適宜適材を選択すればよい。
【００２４】
中央パネル１５は、図３および図５に示されるように、左右縦桟７、８と上下の中桟１２、１３に嵌合保持されている。すなわち、中央パネル１５は、その左右側縁がグレチャン２４とアタッチメント２５ａを介在させて左右縦桟７、８の内側の溝部１６にそれぞれ嵌合保持され、上下縁が上部中桟１２の下部と下部中桟１３の上部にそれぞれグレチャン２４とアタッチメント２５ｂさらにはクッション材２６を介在させて当接接合されることで保持されている。
【００２５】
なお、縦横のアタッチメント２５ａ、２５ｂは、図７に示されるように、一方のアタッチメント２５ａから他方のアタッチメント２５ｂのビスホールにビス３０をねじ込んで矩形状に枠組みされている。
【００２６】
また、中央パネル１５は所定以上の力で押し込むことで湾曲させて脱落する構造とすることも可能である。このように強い力で押し込むことによって、パネルを湾曲させて強制的に脱落させることも破壊の一態様である。
【００２７】
上述の門扉３によれば、一方の中空門柱１に、その一方の縦桟８がヒンジ金具５を介して支持されることで、門柱１、２間で片開き作動可能とされている。
【００２８】
ところで、門扉３は施錠可能であり、そのための錠装置が備えられている。錠装置は、図４に示されるように、戸先側の縦桟７の略中央部に備えられたデッドボルト２７を有するシリンダ錠２０と、門柱１に形成されたデッドボルト２７の受け部２８とから構成されている。シリンダ錠２０には解錠のためのサムターン２３が設けられている。
【００２９】
なお、開閉ハンドル２１にはラッチ錠２９が、門柱１にはラッチ受け（図示せず）が設けられている。また、図１に示されるように、縦桟７、８の下部には落し棒２２が設けられ、基礎コンクリート４の表面には落し棒２２の下部を受ける穴３１が形成されている。
【００３０】
また、上記中央パネル１５は、破壊による開口部ａから腕を通したときに上記サムターン２３を回転可能な位置に設けられている。
【００３１】
本発明の実施形態は上述のような構成であるので、たとえば、緊急時に避難者が外部から敷地内や建物内に緊急避難するとき、あるいは、火災時の消防活動等において、避難者や消防隊員が門扉３を開くのに有効な手段を携帯しない状態であっても、図１に示すように門扉３の中央パネル１５を容易に手や腕の力で割ったり押し込んで脱落させたりすることによって破壊して開口部ａを形成することができる。そして、破壊された開口部ａの外側から腕を通して内側の施錠状態のシリンダ錠２０のサムターン２３を回して容易に解錠し、門扉を開放することにより敷地内や建物内に容易に避難することができる。
【００３２】
また、中央パネル１５は他のパネル１４と独立しており、しかも全体としてみれば比較的小さなパネルであり、破壊されるのはこの部分だけであり、破壊後にも交換や修理が容易であり、門扉の補修コストを低く抑えることができる。
【００３３】
中央パネル１５は門扉の一部を構成しており、外見上目立つものではないから、いたずらに解錠されることは少ない。また、門扉の外観が損なわれることがないので、高い意匠性が良好に保たれる。
【００３４】
しかも、中央パネル１５は非透光性パネルであり、敷地内側が見えないので、防犯性が良い。
【００３５】
なお、防犯性向上のため、門扉３の内側に防犯ブザーを取り付けてもよい。
【００３６】
なお、上述の実施形態は、シリンダ錠２０のサムターン２３を回して解錠するものであるが、錠とその解錠手段はこれに限定されない。鍵が不要で、手動で解錠できる構成の錠であれば他の形態であってもよい。
【図面の簡単な説明】
【００３７】
【図１】本発明に係る門の正面図
【図２】図１のＡ−Ａ線上の拡大断面図
【図３】図１のＢ−Ｂ線上の拡大断面図
【図４】図２の一部の拡大図
【図５】図１の門柱を除いたＸ−Ｘ線上の断面図
【図６】図１の門柱を除き、ガラリを省略したＹ−Ｙ線上の断面図
【図７】中央パネルのアタッチメント枠の一部の断面図
【符号の説明】
【００３８】
１、２      門柱
３          門扉
７、８      縦桟
１０、１１  横桟
１２、１３  中桟
１５        中央パネル
２０        シリンダ錠
【図１】
2007270533.tif 000003
【図２】
2007270533.tif 000004
【図３】
2007270533.tif 000005
【図４】
2007270533.tif 000006
【図５】
2007270533.tif 000007
【図６】
2007270533.tif 000008
【図７】
2007270533.tif 000009